(57)【要約】      （修正有）【課題】アトラクション等の利用客が順番待ち列をバイパスできるトランザクションを管理するシステム、方法を提供する。【解決手段】アトラクション１００ａなどを選択すると、その情報がポップアップウイド１０８で呈示される。待ち時間が長い場合、別のアトラクションの詳細を示すプロンプト１００ｂを選択すると、別のポップアップウイドでその情報で呈示される。アトラクション行列の待ち時間だけでなく、現在のプライスなどの情報も呈示されるため、ユーザが順番待ち行列をスキップして選択したアトラクションに向かうことができる。【選択図】図７ａ
2014170519.tif 000002
【特許請求の範囲】
【請求項１】
対応するマネタリクレジットおよびネットワークを有する個人向けＩＤユニットに使用するアトラクション順番待ち列管理システムであって、
ユーザーが並ぶことによってアトラクションにアクセスする第１列、
ユーザーが前記第１列をバイパスし、前記アトラクションにアクセスする第２列、
前記ネットワークを介してプライスを設定し、ユーザーが前記第２列にアクセスするパスを購入する会場通信素子、および
前記ユニットの前記クレジットから前記プライスを差し引き、そして前記ユニットの前記保持者によって前記アトラクションへのアクセスを許可するＩＤユニット読み取り機からなることを特徴とするアトラクション順番待ち列管理システム。
【請求項２】
前記ネットワークがインターネットである請求項１に記載のアトラクション順番待ち列管理システム。
【請求項３】
前記個人向けＩＤユニットがＲＦＩＤブレスレットである請求項１に記載のアトラクション順番待ち列管理システム。
【請求項４】
対応するマネタリクレジットおよびネットワークを有する個人向けＩＤユニットに使用するアトラクションにおける待ち時間を管理する自動システムであって、
前記ネットワークを介して、ユーザーが前記アトラクションに優先的にアクセスするパスを購入するプライスを設定する、前記システムと通信する会場通信素子、および
前記ユニットの前記クレジットから前記プライスを差し引き、そして前記ユニットの前記保持者によって前記アトラクションへの優先的なアクセスを許可するＩＤユニット読み取り機からなることを特徴とする自動システム。
【請求項５】
前記ネットワークがインターネットである請求項４に記載の自動システム。
【請求項６】
前記ＩＤユニットがＲＦＩＤブレスレットである請求項４に記載の自動システム。
【請求項７】
対応するマネタリクレジットおよびネットワークを有する個人向けＩＤユニットに使用する、会場内のアトラクションにおける順番待ち時間を管理する自動システムであって、
通信を送受信できるサーバー、
複数の個人向けＩＤユニットのそれぞれを表す情報を有する個人向けＩＤデータベースであって、前記サーバーと通信する個人向けＩＤユニットデータベース、および
ある料金を支払うと優先的にアクセスできる会場内の一つかそれ以上のアトラクションを表す情報を有するアトラクションデータベースであって、前記サーバーと通信するアトラクションデータベースからなり、
前記サーバーが前記アトラクションへの優先的なアクセスに対する料金情報を受信するとともに、前記優先的なアクセスのプライスに関して情報を前記アトラクションに送信する会場通信素子と通信でき、そして
さらに前記会場内における前記アトラクションそれぞれにおけるＩＤユニット読み取り機であって、前記ユニットの前記クレジットから前記プライスを差し引き、かつ前記ユニットの前記保持者による前記アトラクションへの優先的なアクセスを許可するＩＤユニット読み取り機を有することを特徴とする前記自動システム。
【請求項８】
前記ＩＤユニットがＲＦＩＤブレスレットである請求項７に記載のシステム。
【請求項９】
前記個人向けＩＤユニットデータベースが、前記データベース内のユーザーを対象として個人限定のＩＤ情報からなる請求項７に記載のシステム。
【請求項１０】
会場内の一つかそれ以上のアトラクション、および対応するマネタリクレジットおよびネットワークを有する会場を特定した個人向けＩＤユニットに使用する会場順番待ち列管理システムであって、
利用客が並ぶことによってアトラクションにアクセスする第１列、
利用客が前記第１列をバイパスし、前記アトラクションにアクセスする第２列、
前記ネットワークを介してプライスを設定し、利用客が前記第２列にアクセスするパスを購入する会場通信素子、および
前記個人向けＩＤユニットの前記クレジットから前記プライスを差し引き、そして前記個人向けＩＤユニットの保持者によって前記第２列へのアクセスを許可するアトラクションＩＤユニット読み取り機からなることを特徴とする会場順番待ち列管理システム。
【請求項１１】
アトラクション、
ユーザーが並ぶことによってアトラクションにアクセスする第１列、
ユーザーが前記第１列をバイパスし、前記アトラクションにアクセスする第２列、
ＩＤコードを有し、そしてさらにこのＩＤコードに対応する譲渡可能クレジット数を示す指数を有する個人向けＩＤユニット、
前記個人向けＩＤコードおよびこのコードに対応する前記譲渡可能クレジットを認識でき、かつこのコードに対応するクレジット数を変更できる個人向けＩＤユニット読み取り機、および
前記読み取り機と通信でき、かつ前記読み取機に情報を送信して、前記第２列にアクセスするための譲渡可能クレジット数を設定するアトラクション通信素子からなり、
前記第２列へアクセスするための前記譲渡可能クレジット数を、前記個人向けＩＤユニットを対象とする前記個人向けＩＤコードに対応する前記譲渡可能クレジット数から差し引くことによって前記第２列へのアクセスを許可するように前記読み取り機および前記個人向けＩＤユニットを構成したことを特徴とする入場管理システム。
【請求項１２】
前記アトラクションが、遊園地のアトラクションである請求項１１に記載の管理システム。
【請求項１３】
前記アトラクションが、レストランである請求項１１に記載の管理システム。
【請求項１４】
前記アトラクションが、コンサートである請求項１１に記載の管理システム。
【請求項１５】
前記アトラクションが、スポーツイベントである請求項１１に記載の管理システム。
【請求項１６】
前記アトラクションが、スキーリフトである請求項１１に記載の管理システム。
【請求項１７】
前記譲渡可能クレジットが、マネタリクレジットである請求項１１に記載の管理システム。
【請求項１８】
前記譲渡可能クレジットが、ポイント還元である請求項１１に記載の管理システム。
【請求項１９】
前記個人向けＩＤユニットが、ＲＦＩＤブレスレットである請求項１１に記載の管理システム。
【請求項２０】
さらに、前記個人向けＩＤユニットと通信できる個人向け通信素子を有する請求項１１に記載の管理システム。
【請求項２１】
前記個人向け通信素子が、前記個人向けＩＤコードに対応する譲渡可能クレジットの数を変更できる請求項２０に記載の管理システム。
【請求項２２】
前記個人向け通信素子が、前記個人向けＩＤコードに対応する譲渡可能クレジットの使用状態をモニターできる請求項２０に記載の管理システム。
【請求項２３】
前記個人向け通信素子が、前記個人向けＩＤユニットの位置を確認する情報を受信できる請求項２０に記載の管理システム。
【請求項２４】
前記個人向け通信素子が、前記個人向けＩＤコードに対応するメッセージを送信できる請求項２０に記載の管理システム。
【請求項２５】
前記読み取り機が、前記個人向けＩＤコードに対応するメッセージを表示できる請求項１１に記載の管理システム。
【請求項２６】
前記読み取り機が、前記個人向けＩＤユニットに関する情報を送信できる請求項１１に記載の管理システム。
【発明の詳細な説明】
【関連出願に関する相互参照】
【０００１】
本出願は２０１２年９月４日を出願日とし、“遊園地リストバンドトランザクションシステム”を発明の名称とする仮出願第６１/６９６，３３６号の優先権をＵＳＣ§１１９（ｅ）に従って主張する出願であり、これを援用する出願である。
【背景技術】
【０００２】
Ｉ．発明の分野
本発明は、全体としては利用客が列を作っている場所における物品やサービスへのアクセスを管理することに関する。具体的には、本発明は利用客が遊園地におけるアトラクション、スキーリゾート地におけるリフト、コンサートやスポーツイベント場などにおける通常の順番待ち列をバイパスできるトランザクション（transaction）を管理するシステム、方法および装置に関する。
ＩＩ．従来技術の開示
【０００３】
人々が何かをなすために列を作って待たなければならない場合が多数ある。例としてレストランを挙げると、客が予約しているかどうかに応じて、並んで次のテーブルが開くのを待つ必要がある。並ぶ必要がある他の例には、クラブへの入場、スポーツイベントやコンサートのチケットの購入、遊園地への入場、遊園地での具体的なアトラクションに対する待機、博物館やその他のツーリストアトラクションへの入場、店でのチェックアウト行列、空港における安全チェックなどがある。基本的に、行列は、ある任意の一時点において物品やサービスの提供を受けるために待機している人数が、ある一人の客やある一つの群の客がサービスの提供を受けることができる速度を超える場所に発生するものである。
【０００４】
列を作って待機しているのが客側であるか、あるいは列を作る必要があるのはサービス提供側であるかに応じて、犠牲が生じる。客側についていえば、行列に費やす時間、即ち犠牲になる時間は、浪費以外のなにものでもない。可能ならば、行列がなくなった時に戻ってくるようにすると、行列待機する代わりにその他の用事をこなすことができる。例えば、遊園地には、数百の乗り物、ショー、ショップ、ゲーム、パレード、展示物、飲食物の提供がある。アトラクション毎に列を作って待たなければならない場合、任意の一回の入場ではアクセスできるアトラクションの数が限られてくる。より多くのアトラクションにアクセスできないことに対するフラストレーションがたまるだけでなく、アクセスできなかったアトラクションに支払ったお金に対してもフラストレーションが高まる。客側からみたもう一つの実例は、プロがディナーを提供する場合および/またはナイトクラブでもてなす場合である。レストランやクラブでは、予約がなされているかどうかに応じて、到着する客が次のテーブルが開くのを並んで待つ必要がある場合がある。客側も当然並ぶことを望まない一方で、プロ側から見た場合、この種の状況は特にリスクがある場合がある。
【０００５】
サービスを提供する側から見た犠牲は、収益減である。先に挙げた遊園地を例に取ると、利用客は異なるアトラクションにアクセスするために少なくとも５０％の時間を並ぶために費やすると想定する。これは、換言するなら、利用客は少なくとも５０％の時間、商品や飲食物などを購入できないことになる。この結果、テーマパーク側は、客がかなりの時間を並ぶことに費やすため、潜在的な収入機会を逃すことになる。同様にレストランやクラブを例に取ると、リスクを減らすのではなく、長く並ぶために客を失う可能性があるため、プロ側は待ち時間のない施設で客をもてなすことになる。この結果、サービス提供側がビジネスを失うはめになる。
【０００６】
行列がどのように生じたとしても、また当事者が誰であっても時間が無駄になることは間違いない。並ぶことに時間を費やすには、人生はあまりにも短い。時間は常にお金に対応するものであるが、現代生活のハイスピード化は、過去に輪をかけてお金との結びつきを強めている。時間に対するプレッシャーが高くになるに従って、短時間の行列でさえ、以前とは違って長いと考えられている。過去１０年の人口動態の変化によって、以前考えられている以上に時間が貴重なものになってきている。就業時間が長くなり、就業時間の変動も大きくなり、また賃金も上昇を望めず、かつ失業者数の変動も激変している現状では、多くの人がライフスタイルを維持するために、残業を余議なくされ、または副業につくことを余儀なくされている。この結果米国では週単位のレジャー時間が２６．２時間から１６．６時間まで激減し、このようなプレッシャーのため、消費者は自由時間に対する価値に比重を置くようになってきている。
【０００７】
遊園地の環境では、遊園地での多数のアトラクションに関連して発生する長い待機列に固有な、サービス享受側およびサービス提供側両者が被る相互犠牲に対処するために数多くの試みがなされている。最も共通して見られる試みは、サービス享受側があるアトラクションをジャストインタイムで楽しむことができるようにウインドウをリザーブできるシステムである。例えば、午後１時３０分にＲｏｌｌｅｒ  Ｃｏａｓｔｅｒ  Ｘ  に乗りたいのだが、スタンドバイライン（standby line）には９０分待ちと掲示されている。この場合スタンドバイラインで待つのでなく、例えば午後４時から５時の戻り時間を記載した予約券（紙プリントアウト、バーチャル媒体など）を得る。こうすると、Ｒｏｌｌｅｒ  Ｃｏａｓｔｅｒ  Ｘに戻る前に他のアトラクションを楽しむための余裕として２時間３０分が残り、スタンドバイラインに並ぶ必要がなくなり、ほとんど待つことなしにＲｏｌｌｅｒ  Ｃｏａｓｔｅｒ  Ｘを楽しむことができる。この中間時間を任意に自由に使用できる利点はあるが、適切な時間にＲｏｌｌｅｒ  Ｃｏａｓｔｅｒ  Ｘにアクセスするために、時間を調整する必要が残る。一方、遊園地側からみると、追加的な購入を期待することができるが、これは決して最善の対応ではない。
【０００８】
遊園地の環境における別な試みは、ある種のバーチャルなウエイトデイリーパス（waitdaily pass）である。このパスは、基本的に保持者の位置を電子上行列に保持するものである。このようなパスに費用をかけることによって、仮想現実としては、パス保持者は行列に並んでいる他の人が実際に待つ時間と同じ時間待てばよく、あるいは待ち時間がより短くなる場合もあり、まったく待つ必要がなくなる場合もある。例えばパス保持者がアトラクションを訪れる場合、仮想現実では列に並ぶが、実際には他のアトラクションに行くことができるようにパスを使用可能状態にすることができる。パス保持者の番がくると、アラート（alert）がパスに送られるので、アトラクションに戻り、これを楽しむことができる。ここでも、パス保持者は中間時間を望むとおりに利用できるが、パスがアラートを受信した時に仮想的には並んで待っていることになるアトラクションにアクセスする準備をしておく必要がある。そうしなければ、アトラクションを楽しむ機会をのがすことになる。さらに、遊園地側は、デイリーパスの初期購入と任意の中間購入の両者からかなりの収益を得ることができる一方で、このようなパスは多数の人によって利用できるものではなく、この収益が最適化されることはない。
【０００９】
遊園地におけるこれら問題に対処する従来の試みの一つを使用するために、遊園地側は相当な時間、エネルギーおよび資金を費やして所謂“ウインドインタイム（ｗｉｎｄｏｗｉｎ  ｔｉｍｅ）”および/または“仮想待機”パスを利用する利用客を対象として別々な領域を設定してきた。具体的には、最も長い列を作りだすアトラクションの場合、スペースを追加して、この個別なパスラインを収容しているが、不運なことに、これらスペースは潜在的可能性まで利用されていないため、スペース建設、実施およびメンテナンスに対応するコストが失われる結果になっている。
【００１０】
従って、本発明の全体としての目的の一つは、遊園地などの順番待ち行列問題に関する従来技術の欠陥に対処できるシステム、方法および装置を提供することである。
【００１１】
また、本発明の全体としてのもう一つの目的は、カスタマー（客）が遊園地のアトラクションでの通常の順番待ち行列を迂回できるようにトランザクションを管理するシステム、方法および装置を提供することである。
【００１２】
本発明のより具体的な目的は、遊園地のアトラクションで順番待ち行列において浪費される時間量を抑えることができるシステム、方法および装置を提供することである。
【００１３】
本発明の別なより具体的な目的は、順番待ちを望まないカスタマーからの遊園地収益を最適化できるシステム、方法および装置を提供することである。
【００１４】
本発明のさらに別な具体的な目的は、遊園地における既存のアトラクション行列空間を利用できるシステム、方法および装置を提供することである。
【００１５】
本発明の上記、および上記以外の目的、特徴および作用効果については、以下の詳細な説明から明らかになるはずである。
【発明の概要】
【００１６】
本発明は、一つの実施態様によれば、マネタリクレジット（monetary credit）を有する個人向けＩＤユニットに使用するアトラクション順番待ち列管理システムであって、ユーザーが並ぶことによってアトラクションにアクセスする第１列、およびユーザーが上記第１列をバイパスし、上記アトラクションにアクセスする第２列を有するアトラクション順番待ち列管理システムを提供するものである。会場通信素子がネットワークを介してプライスを設定し、ユーザーが上記第２列にアクセスするパスを購入でき、そしてＩＤユニット読み取り機が上記クレジットから上記プライスを差し引き、アクセスを許可する。
【００１７】
また、本発明は、対応するマネタリクレジットを有する個人向けＩＤユニットに使用するアトラクションにおける待ち時間を管理する自動システムを提供するものでもある。会場通信素子がネットワークを介して、ユーザーが上記アトラクションに優先的にアクセスするパスを購入するプライスを設定し、そしてＩＤ読み取り機が上記ユニットの上記クレジットから上記プライスを差し引き、アクセスを許可する。
【００１８】
さらに、本発明は、対応するマネタリクレジットを有する個人向けＩＤユニットに使用する、会場内のアトラクションにおける順番待ち時間を管理する自動システムを提供するものである。個人向けＩＤデータベースおよびアクションデータベースの両者がサーバーと通信する。会場通信素子と通信するサーバーがアトラクションに優先的にアクセスするためのプライスを設定し、各アトラクションにおけるＩＤユニット読み取り機が上記ユニットの上記クレジットからこのプライスを差し引き、優先的なアクセスを許可する。
【００１９】
さらに、本発明は、一つかそれ以上のアトラクション、および対応するマネタリクレジットを有する会場専用の個人向けＩＤユニットに使用する会場順番待ち列管理システムを提供するものである。このシステムは、利用客が並ぶことによってアトラクションにアクセスする第１列、および利用客が上記第１列をバイパスし、上記アトラクションにアクセスする第２列を有する。会場通信素子がネットワークを介してプライスを設定し、利用客が上記第２列にアクセスするパスを購入でき、そしてアトラクションＩＤユニット読み取り機が上記ユニットの上記クレジットから上記プライスを差し引き、上記第２列へのアクセスを許可する。
【００２０】
さらに、本発明は、アトラクション、並ぶことによってアトラクションにアクセスする第１列、および上記第１列のバイパスを可能にする第２列を有する入場管理システムを提供するものである。このシステムはさらに対応する譲渡可能クレジットを有する個人向けＩＤユニット、上記ユニットコードを認識でき、かつこのコードに対応するクレジット数を変更できる個人向けＩＤユニット読み取り機、および上記読み取り機と通信でき、かつ上記第２列にアクセスするための譲渡可能クレジット数を設定するアトラクション通信素子からなり、上記読み取機および上記ユニットによって、上記クレジット数を減じることによって上記第２列へのアクセスが可能になる。
【００２１】
添付図面を参照して以下の好適な実施態様の詳細な説明を読むことによって本発明を十分理解できるはずである。なお、添付図面全体を通して同じ参照数字は同じ部分を示す。
【図面の簡単な説明】
【００２２】
【図１】本発明の順番待ち行列トランザクション管理システムの好適な実施態様を実施する通信ネットワーク環境を示す図である。
【図２】本発明の順番待ち行列トランザクション管理システムの利用客購入ＩＤフローチャートである。
【図３】本発明の順番待ち行列トランザクション管理システムの利用客管理／運営プロセスを示す図である。
【図４】ログイン時の利用客オプションを示す個人向け通信素子（ＰＣＤ）スクリーンショットである。
【図５】会場アトラクションのリストを示すＰＣＤスクリーンショットである。
【図６】会場マップを示すＰＣＤスクリーンショットである。
【図７ａ】選択されたアトラクションとともに会場マップを示すＰＣＤスクリーンショットである。
【図７ｂ】選択されたアトラクションとともに会場マップを示すＰＣＤスクリーンショットである。
【図８ａ】アトラクションの詳細を示すＰＣＤスクリーンショットである。
【図８ｂ】アトラクションの詳細を示すＰＣＤスクリーンショットである。
【図９】利用客管理/運営を示すＰＣＤスクリーンショットである。
【図１０】利用客ＩＤの使用可能状態を示すＰＣＤスクリーンショットである。
【図１１】ＩＤの詳細を示すＰＣＤスクリーンショットである。
【図１２】ＩＤの利用客クレジッティングを示すＰＣＤスクリーンショットである。
【図１３】本発明の順番待ち行列トランザクション管理システムを利用したアトラクションに使用するＩＤフローチャートである。
【図１４】本発明の順番待ち行列トランザクション管理システムを使用したビジネス管理/運営プロセスフローチャートである。
【図１５】ログイン時のビジネス管理/運営オプションを示すＰＣＤスクリーンショットである。
【図１６】ビジネス管理/運営ＩＤの使用可能状態を示すＰＣＤスクリーンショットである。
【図１７ａ】ビジネス管理/運営アトラクションの詳細を示すＰＣＤスクリーンショットである。
【図１７ｂ】ＩＤ承認時のビジネス管理/運営アトラクションの詳細を示すＰＣＤスクリーンショットである。
【図１８】ビジネス管理/運営メッセージの送信を示すＰＣＤスクリーンショットである。
【発明を実施するための形態】
【００２３】
以下の好適な実施態様の説明は例示に過ぎず、本発明およびその用途/使用を制限するものではない。例えば、本明細書において説明する会場（即ち、遊園地および/またはスキーリゾート地）には制限はなく、本発明の技術思想はウォーターパーク、レストラン、フェスティバル、コンサート、旅行中の個人、春休みパッケージ旅行、団体旅行、バケーション、スポーツイベントなども対象とすることができる。同様に、ユーザーＩＤは公的ＩＤとすることも可能であり、また私的ＩＤともすることができ、本明細書で説明するブレスレット（即ち、無線周波数ＩＤブレスレット（ＲＦＩＤブレスレット））もこれに制限されない。例えば、ＲＦＩＤサブセット、いわゆる近距離通信（ＮＦＣ）プロトコルも使用可能である。よく知られているように、ＮＦＣの場合、双方向通信が可能であり、ＲＦＩＤよりも範囲がより狭い。これら例はいずれも本発明の真の精神および範囲をよりよく記載するために言及した例に過ぎない。
【００２４】
本発明の行列および/または入場管理システムの場合、会場の利用客がこの会場全体に配置されている読み取り機に個人限定の（ｕｎｉｑｕｅ）ＩＤを通すことによって行列をスキップでき、および/または商品を購入でき、および/またはサービスの提供を受けることができる。例えば、遊園地に入場するさいに、家族または個人がチケット購入するだけでなく、ＲＦＩＤリストバンドを身につけることも可能である。このリストバンドは一例として個人限定のＲＦＩＤを帯びることができるため、リストバンドのユーザー/保持者が遊園地においてこれを仮想クレジットカードとして利用できる。また、このリストバンドによって会場全体を通して位置を追跡できるとともに、これがどのように使用されているかをモニターできる。これらリストバンドは、ある一つの会場に対応するものでもよく、あるいは２つかそれ以上の会場を連絡して利用できる。
【００２５】
図１は、好適な実施態様を実施する通信ネットワーク/演算環境を示す概略全体図である。好ましい行列管理システム１０の場合、一つかそれ以上のサーバー１２、利用客の個人向け通信素子（ＰＣＤ）１４、ユーザーＩＤユニット１６およびアトラクションＰＣＤ１８をインターネットなどのネットワーク２０を使用して連結する。このネットワーク２０としては任意の公知のネットワークを使用することができ、例示するとＴＣＰ/ＩＰ系のネットワーク（例えばインターネット）、ＬＡＮ、イーサネット、ＷＡＮ、Ｔｏｋｅｎ  Ｒｉｎｇなどである。あるいは、構成要素（コンポーネント）間に別な異なるネットワークを利用することも可能である。さらに、ネットワーク２０の好適な実施態様がインターネットであるため、同時に利用客（Ｐａｔｒｏｎｎ）、ユーザー（ＩＤｎ）およびアトラクション（Ａｔｒａｃｔｉｏｎｎ）を始めとする非常の多くのユーザーを想定できる。
【００２６】
サーバー１２は、従来技術と同様にデータベースおよびデータベースインターフェースを備えている。このサーバー１２はそのデータベースを介してサービス提供を受けるユーザー、例えば利用客、ユーザーおよび会場アトラクションなどに関する現状態の正確な情報を保存する。情報は、記憶するためにサーバー１２が使用する一つかそれ以上のハードディスクなどの不揮発性記憶システムに記憶するのが好ましい。サーバーは処理時に記憶システムからデータを揮発性メモリにロードすることができる。本発明では、管理システム１０が異なる物理的位置において複数のサーバー１２を利用できるため、安全およびセキュリティを確保するのに役立つ。さらに、本発明では、管理システム１０が（クラウドサーバーなどの）ＤＶＰサーバー（ｄｙｎａｍｉｃ  ｖｉｒｔｕａｌ  ｐｒｉｖａｔｅ  ｓｅｒｖｅｒ）などのオフサイトの遠隔サーバーサービスを利用することができる。いずれにせよ、サーバー１２は一つかそれ以上の別なコンピュータシステムを利用できるため、行列管理システム１０の異なるコンポーネントを走らせることができる。従って、サーバーはデータベースなどとの通信を送受信することができる。
【００２７】
管理システム１０が使用できるようになる前に、利用客はＩＤを取得する必要がある。図２に、ＩＤ取得プロセスを示す。利用客が遊園地に入場し、ＲＦＩＤブレスレット３２を身につけると、多数のオプション３４を選択でき、これによってＩＤに資金をクレジットできる。また、利用客はクラークまたはキオスク３６を介してＩＤにクレジットできるか、あるいはスマートフォンなどのＰＣＤ３８を介してＩＤにクレジットできる。利用客がクラークに行くと、ＩＤが承認され、クラークがＲＦＩＤ読み取り機を使用してリストバンドを読み取るか、あるいは手動でＩＤをシステム１０に入力４０する。この場合、システムが、ＩＤが使用可能でしかも個人限定のものであるかどうかを決定４２する。そうでない場合には、再入力４０にするか、別なリストバンドを発行すればよい。リストバンドが使用可能で個人限定のものであると判断されると、クラークがＩＤに適正なクレジット額４４を与える。これによって、ＩＤが使用可能になり、使用準備４６が整う。利用客がいつも使用しているキオスク（カスタムキオスク）を望む場合もプロセスは同じである。利用客には、遊園地全体に配備されているカスタムキオスクにあるタッチスクリーンが用意されているため、ＩＤの購入方法について指示を得ることができる。利用客は、対応するＩＤに直接資金を上乗せることができ、アカウントに直ちにＩＤをリンクすることができる。トランザクション完了後、キオスクがＩＤをコード化し、これを利用客に手渡す。むしろ、利用客がＰＣＤを使用して資金を得る場合、最初可動性の行列管理システムアプリケーション３８にログする必要がある。ログイン状態を判定４８し、判定がよければ、利用客がＩＤを登録５０する。システムが、ＩＤが使用可能で個人限定のものであるかどうかを判定５２し、そうでなければ、再入力５０を行う。リストバンドが使用可能で個人限定のものであると判定されたら、利用客が適正なクレジット額５４をＩＤに入れ、ＩＤが使用可能になり、使用準備４６が整う。なお、利用客がクラークを介して、あるいはＰＣＤを介して対応するＩＤを使用状態することを決定するかどうかに応じて、利用客毎に複数のＩＤが対応する。
【００２８】
利用客ＰＣＤはログインおよびパスワードを備え、最大で３５（あるいはそれ以上の）ＲＦＩＤブレスレットを記録でき、これに対応できるため、利用客が、追跡したいプログラム式ＲＦＩＤブレスレットを使用する度に最後の既知位置および時間を確認することができる。会場全体に配備された長距離読み取り機は、ＲＦＩＤ保持者がある読み取り機位置をパスしている間、この読み取り機から２０フィート以上までのこのＲＦＩＤ位置を取得することができる。会場に読み取り機位置が多くあればある程、各ＲＦＩＤ保持者の追跡精度が高くなる。ＰＣＤから、利用客はクレジットカードをログできるか、あるいはアカウントに入金することができ、一つの特定のＲＦＩＤブレスレットを指示することができる。ブレスレットのこの金額（クレジット）は、ＺＯＯＭＬＩＮＥ（登録商標）行列サービス実行アトラクション、売店、ギフトショップなどの会場全体における複数の場所で使用することができる。ＲＦＩＤ保持者は、任意の位置における読み取り機からブレスレットを２インチ離してかざすだけでよく、ブレスレットから任意に差し引くことができる。
【００２９】
リストバンドが使用可能状態になり、使用準備が整うと、利用客は資金を上乗せることができ、および/またはその他のオプションを選択実行することができる。利用客管理/運営プロセス６０を示す図３について説明すると、利用客は会場のキオスクを介してか、あるいはＰＣＤを介してアカウント６２にログインすることによってシステムにアクセスすることができる。いずれにせよ、ログイン状態を判定６４し、判定がよければ、利用客は対応するビュー６６に入力し、適正な行動を選択６８する。例えば、利用客は資金７０を上乗せてもよく、あるいは他の行動７２をビューできる。利用客がフィルター７４を選択した場合には、多数のオプションがあり、例えば会場マップ７６に載っている用途を介して各対応するＩＤをビューすることを、あるいは購入リスト７８を介してビューすることを選択することができる。
【００３０】
行列トランザクション管理システムの利用客、ユーザーおよび会場使用に関する具体的な態様では、多数の実例があり、以下これらについて説明する。所謂スマートフォンを使用する実例を添付図面に示す。なお、既に説明したように、本発明システムの使用方法についてはスマートフォンやその他の個人向け通信システム（ＰＣＤ）に制限されない。
【００３１】
ログイン時の利用客ＰＣＤホームスクリーンを示す図４について説明する。このホームスクリーン８０は会場に特有なものであるが、例えば利用客がアトラクション８４、パークニュース８６、通知８８およびＺＯＯＭＬＩＮＥ（登録商標）行列サービス９０を選択できるオプションを備えている。アトラクションアイコンを選択すると、利用客にはパークアトラクションスクリーン９２のリストが呈示される。図５を参照。このアトラクションスクリーン９２は、例えば、利用客がインタラクティブなパークマップビュー９４かあるいはその他の具体的で明確なアトラクションを選択できるオプションを備えている。リストに呈示されたアトラクション（９６ａ、９８ａ、１００ａ、１０２ａ、１０４ａ）はアトラクションの詳細だけではなく、プロンプト（９６ｂ、９８ｂ、１００ｂ、１０２ｂ、１０４ｂ）を備え、アトラクションをさらに詳しく知ることができる。利用客がパークマップ９４を選択した場合、会場マップスクリーン１０６が呈示される。図６を参照。このインタラクティブなマップスクリーン１０６によって、利用客は多数のパークアトラクション（９６ａ、９８ａ、１００ａ、１０２ａ、１０４ａ）からもう一度選択を行って情報をさらに引き出すことができる。
【００３２】
例えば、Ｃｏｒｋｓｃｒｅｗ  Ｈａｗｋ  Ｒｏｌｌｅｒ  Ｃｏａｓｔｅｒ１００ａなどのあるアトラクションを選択した場合、このアトラクションに関する情報がポップアップウインド１０８の形で呈示されることになる。図７ａのポップアップウインドスクリーンショット１１０を参照。このポップアップはさらに別なアトラクションの詳細を示すプロンプト１００ｂを備えることができる。図７ｂに同じポップアップウインドスクリーンショット１１０を示すが、このスクリーンショットは異なるポップアップウインド１１２、具体的にはＯｌｄ  Ｍａｎｎｙ  Ｍｉｎｅ  Ｒｉｄｅ９８ａのポップアップウインド１１２を備えている。ポップアップウインド１０８と同様に、ポップアップウインド１１２は、具体的に選択されたアトラクションに関する情報を呈示する。アトラクション行列の現在の待ち時間だけでなく、現在のプライス１１６などの情報が呈示されるため、ユーザーが順番待ち行列をスキップして、アトラクションに直接向かうことができる。さらに、５つの最後のＩＤユーザーエントリ１１８などのさらに別な情報がこれらユーザーのリスト１２０とともに表示できる。最後に、利用客には詳細プロンプト９８ｂを選択することによってアトラクションのさらなる詳細を知る機会が与えられる。
【００３３】
利用客がさらに詳細なアトラクションプロンプト（即ち９６ｂ、９８ｂ、１００ｂ、１０２ｂ、１０４ｂ）を選択した場合には、さらに詳細なアトラクションを示すスクリーン１２２が呈示される。図８ａを参照。このスクリーン１２２はアトラクションの写真１２４、また場合によってはフラッシュビデオなど、そしてアトラクションに関する追加的な情報１２６を収録することができる。また、アトラクションに関するより具体的で明確な詳細にはＺＯＯＭＬＩＮＥ（登録商標）行列サービスオプション１２８、アトラクションに関する利用客情報１３０、および場合によってこれ以上の情報プロンプト１３２を納めることができる。ＺＯＯＭＬＩＮＥ（登録商標）行列サービスプロンプト１２８は順番待ち行列をスキップするための現在のリアルタイムプライス１３４だけでなく、このプライスをロック/保持することができる時間１３６を納めることができる。図８ｂに、ＺＯＯＭＬＩＮＥ（登録商標）行列サービスオプション１２８が選択されている図８ａのさらに詳細なアトラクションスクリーン１２２を示す。具体的には、利用客は１３８にプライスをロックし、これによってユーザーはアトラクション順番待ち行列をスキップすることができる。
【００３４】
図４に戻ってさらに説明を続けると、利用客がＺＯＯＭＬＩＮＥ（登録商標）行列サービスオプション９０を選択した場合には、利用客には利用客管理/運営スクリーン１４０が呈示される。図９を参照。このスクリーン１４０から利用客は多数の選択を行うことができ、例示するとリストバンドを使用可能状態にすること１４２、リストバンドをビューすること１４４、あるいは資金の上乗せ１４６がある。この管理/運営スクリーン１４０はさらに他の利用客情報を納めることができ、例示すると、残金１４８、トータルトランザクション１５０およびトランザクション毎の平均プライス１５２である。リストバンドが使用可能状態になると１４２、利用客に利用客ＩＤ使用可能状態スクリーン１５４が呈示される。図１０を参照。この使用可能状態スクリーン１５４から、特に利用客はユーザーネーム１５６を作成でき、全てのユーザーＩＤの使用を通知されること１５８を望むかどうかを判定でき、また具体的な各ＩＤを使用可能状態にすること１６０を選択できる。
【００３５】
ＰＣＤからリストバンド情報にアクセスすると、利用客は個人限定のＩＤ、即ちＩＤコードをアカウントに入力する必要がある。このためには、個人限定のＩＤナンバーをタイプ入力するか、あるいはＩＤを例えば読み取り機に通せばよい。いったんＲＦＩＤがリンクしたなら、利用客は例えばクレジットカードを使用して資金を上乗せしてもよく、あるいはその他の譲渡可能なクレジットを行ってもよく、あるいはリストバンドを介してＧＰＳ（またはその他の測位手段）によりＩＤ保持者の位置をビューできる。両親やその他のグループが複数のリストバンドをアカウントにリンクでき、子供やその他のメンバーを追跡することが簡単になる。アカウントに複数のリストバンドがリンクされている場合には、利用客は、全体の資金統計状態とともに、各リストバンドが使用された回数を含む購入状態のマップをビューできる。
【００３６】
管理/運営スクリーン１４０のビューイングリストバンド１４４オプション内において、利用客はさらにビューイングする目的で具体的なＩＤを選択できる。例えば、ジョンのリストバンドおよびカイルのリストバンドは、それぞれのプロンプト１６２、１６４を選択することによってビューイングできる。図１１にある具体的な詳細なＩＤスクリーン１６６を示す。即ち、この例では、ジョンの１６２リストバンドの細目が選択されている。特に、このリストバンドの細目には最近のトランザクション１６８およびＩＤを使用不能状態１７０にする能力が含まれ、場合によってはＩＤ保持者にメッセージを送信することができる。利用客がメッセージを送信することを望む場合および/またはメッセージを送信する必要がある場合、このようなメッセージは次にＩＤのユーザーが使用可能状態にした読み取り機の場所で表示される。会場の要望に応じて、このようなメッセージの数は無限でもよく、番号を付してもよく、および/または利用客のアカウントに課金してもよい。
【００３７】
図１２に、ＩＤスクリーン１７４の利用客クレジットを示す。これは、利用客管理/運営スクリーン上で資金上乗せオプション１４６によって使用可能状態になる。このクレジットスクリーン１７４によって、利用客は適正な資金をそれぞれのＩＤに課金/クレジット/預金できる。例えば、利用客はクレジットカード１７６のタイプを選択でき、次に番号１７８およびその他の必要な情報を入力し、次にこれをシステム１０に入力１８０する。
【００３８】
会場の内部でＩＤ保持者が任意のアトラクション（または場所）において例えばＲＦＩＤリストバンドを使用すると、読み取り機を設定することができる。これら読み取り機は、例えば、スキャニングパッド、およびインターネットやその他の特定のＰＣＤに対して接続できる小型のＬＣＤスクリーンからなる。このＬＣＤスクリーンはＺＯＯＭＬＩＮＥ（登録商標）行列サービスパスのコストを表示し、そしてこれが現在使用可能であるかどうかを表示する。パスが使用可能状態である場合には、ＩＤ保持者がＲＦＩＤリストバンドを走査し、次にシステムサーバーにリクエストを送り、例えばＩＤコードを介して対応するアカウントが使用可能状態であるかどうかを、そして十分な資金および/または譲渡可能なクレジットを利用できるかどうかをチェックする。アカウントに問題がない場合には、課金し、トランザクションを記録する。次に、応答をスキャナに送り返し、うまくいったなら、ＬＣＤが現在の残金を表示し、ＩＤ保持者を“承認”し、ＩＤ保持者は順番待ち行列をパスできる。本質的には、ＩＤ保持者は優先パスを購入しているため、アトラクションにアクセスできる。アカウントに誤りがあるか、あるいはアカウント資金が不足している場合、ディスプレーは入場を拒否し、その理由を表示する。
【００３９】
これらリストバンドは、資金がなくなるまで、あるいは使用/トランザクションがシステムウェブサイトまたは利用客ＰＣＤを介して利用客によってキャンセルされるまで使用可能状態を維持する。ブレスレットを失った場合、システムはトランザクション能力をシャットダウンでき、そしてブレスレットから（預金、譲渡可能クレジット、ポイント還元などの形をとる）残っている預金を除去できる。利用客は任意の時期にこれを使用可能状態に回復でき、すべてのトランザクション情報について利用できるようになる。
【００４０】
システム１０のいくつかの追加的な特徴について説明すると、会場からアップされたプライスにロックできる特徴があり、また明確で具体的なＲＦＩＤブレスレットにこれを割り当てることができる特徴があり、後者の場合このブレスレットのＩＤ保持者は例えば２０分以内にその位置に現れる必要があり、このアップされたより明確で具体的なプライスの特権を利用できることになる。このため、会場が会場内のトラフィックパターンを制御できるだけでなく、ある特別な理由によりあるエリアに人々を誘導できる。会場全体に配備されたスクリーンは、遊園地内においてＰＣＤを持ち歩きたくない人々にとって一定の基準で価格および待機時間をアップするために利用できる。
【００４１】
利用客がＩＤを使用可能状態にすると、会場アトラクションで利用できる状態、および/または会場内で商品および/またはサービスを購入できる状態になる。図１３に、本発明の順番待ち列トランザクション管理システムを利用したある一つのアトラクションに使用するＩＤフローチャートを示す。具体的には、このフローチャートはＩＤ（即ちＲＦＩＤリストバンド）保持者が通常の順番待ち列を迂回し、このアトラクションに直ちにアクセスできるユーザー列プロセス１８２を記述するチャートである。例えば、ユーザーがＲｏｌｌｅｒ  Ｃｏａｓｔｅｒ  ＡＢＣに並び、２時間待たなければならないとする。なお、Ｒｏｌｌｅｒ  Ｃｏａｓｔｅｒ  ＡＢＣもＺＯＯＭＬＩＮＥ（登録商標）行列サービスを承認し、７ドルを支払うと、ユーザーは待機列をスキップでき、直ちにコースターに乗ることができる。アクセスを得るためには、ユーザーはＲｏｌｌｅｒ  Ｃｏａｓｔｅｒ  ＡＢＣの近くの読み取り機１８４でＩＤを使用し、この読み取り機が個人限定（リストバンド）ＩＤコードを読み取り１８６、アトラクションプライスが検索１８８され、アトラクションが現在でもパスを受け付けるかどうか１９０を判定する。アトラクションがパスを受け付けない場合、アクセスが拒否１９２される。アトラクションがパスを受け付けた場合、ユーザーアカウント状態および預金残高、即ちＩＤコードに対応する譲渡可能クレジット数を示す指数がベリファイ１９４され、ＩＤがアクセスに十分な資金１９６を有しているかどうかを判定する。ＩＤが十分な資金を有していない場合、アクセスが拒否１９２される。ＩＤが十分な資金を有している場合、パスのプライスがＩＤアカウント残高から差し引かれ１９８、システム１０がトランザクション２００をセーブし、アトラクションへのアクセスが承認２０２される。
【００４２】
会場管理者がシステムウェブサイトまたはＰＣＤから、ほぼリアルタイムですべてのアトラクションの通常の順番待ち列をスキップするために設定されたプライスを調節できる。システム管理者が管理/運営パネルにログインした後、遊園地のマップまたはリストから各スキャナ/読み取り機をビューするオプションを得る。アトラクション選択後、システム管理者が一組の時間インクリメントにおける販売統計をビューするか、あるいは一回のパスのプライスを変更できる。管理/運営パネルにおいてプライスを変更したなら、アトラクションスキャナ/読み取り機においてリアルタイムでプライスを変更する。会場管理者はまた管理/運営パネルから全体の財務統計および使用統計もビューできる。
【００４３】
次に、アトラクション行列パスプライス設定および他の特徴に関して、遊園地（会場）ビジネス管理/運営について説明する。まず図１４について説明する。図１４は、本発明の順番待ち列トランザクション管理システムを使用するさいのビジネス管理/運営プロセスのフローチャート２０４である。マーチャント（merchant）即ちビジネス管理者がアカウント管理２０６にログインし、ログインアカウント状態を判定２０８し、ログインがうまくいったなら、マーチャントが行列管理/運営パネル２１０に入力する。行列管理/運営パネル２１０から、マーチャントがアトラクション２１２を選択できる。アトラクションの選択２１２後、アトラクション列のパスが現在使用可能２１４であるかを判定する。列のパスが使用可能状態にない場合には、マーチャントが使用可能状態２１６にし、次にほぼリアルタイムでプライス２１８を設定する。列のパスが使用可能状態にある場合には、マーチャントが例えばプライス２１８の更新などのアクティブパスアクティブ２２２を選択２２０できるか、あるいはアトラクションのパス２２４を使用不能状態にするか、あるいは行列統計２２６をビューできる。
【００４４】
マーチャントはコンピュータ、会場キオスクや会場ＰＣＤを始めとする多数のオプションによってビジネス管理にアクセスできる。いずれにせよ、図１５にログイン時のＰＣＤスクリーンショット２２８を示す。このスクリーン２２８から、遊園地管理者はアトラクション２３０などを選択でき、アラート２３２を送信でき、そしてＩＤ２３４を登録できる。管理者がリストバンド（２３４）を選択した場合、遊園地管理/運営ＩＤアクチベーションスクリーン（activation screen）２３６に目を向ける。図１６を参照。より具体的には、管理者がユーザーＩＤを対応する読み取り機/スキャナに通すと、リストバンド２３８ａおよび２３８ｂが表示され、使用可能状態２４０への準備が整う。このスクリーンには、さらに他の情報、例えば初期資金２４２およびユーザーのe-mailアドレス２４４などを収録することができる。
【００４５】
管理者が図１５のログインスクリーン２２８からアトラクションを選択する場合、このアトラクション、例えばＨｏｔ  Ｓｔｒｅａｋローラコースタスクリーン２４６が呈示される。図１７ａを参照。このアトラクションスクリーン２４６から、管理者はアトラクションの詳細をビューできるとともに、これらを更新できる。列をスキップするプライス２４８は、システムアルゴリズムを通して手動または自動的に設定できる。このようなアルゴリズムは会場入場者数およびアトラクション毎の待ち時間で構成することができる。例えば、増/減カウンター２５０および/またはスライド式ツールバー２５２は並んで待つ時間２５４の長さを調節し、そしてシステム１０のアルゴリズムに応じて、適正なプライス２４８を自動的に設定することができる。いずれの場合も、プライスが設定されたなら、このプライスはプライス更新セレクター２５６によって更新できる。アトラクションスクリーン２４６には追加情報を収録することができる。例えば、図１７ｂのアトラクションの詳細２５８を参照。このような詳細は、ＩＤ承認の最終プライス２６０、最終ＩＤユーザー２６２およびユーザーに残っているクレジット量２６４を含むものである。
【００４６】
最後に、管理者は図１５のログインスクリーン２２８から送信アラート２３２オプションを選択しておくことができ、即ち図１８のメッセージ送信スクリーン２６６に目を向ければよい。ここから、管理者はメッセージ２６８および更新２７０を入力できる。システムに通信能力があるため、ＰＣＤなどを介してメッセージを送信することができ、また具体的なＩＤのスキャン時にスキャナ/読み取り機でこれを受信することができる。
【００４７】
なお、会場アカウントコーディネータおよび/またはシステムホストは第三者であり、このアカウントコーディネータまたはシステムホストがアカウントコーディネータまたはシステムホストとして動作する対価（補償金）を受け取ることができる。例えば、第三者アカウントコーディネータまたはシステムホストは優先的なパス料金、パースキャン/読み取り料金および他の料金の数パーセントを受領でき、および/またはインタラクティブスクリーンのいずれかに対応するアドバータイズメントを表示でき、これによってアカウントコーディネータまたはシステムホストとしての動作から収益を引き出すことができる。また、このような補償金は自動化できるため、アカウントコーディネータまたはシステムホストを料金トランザクション時に自動的に補償できる。加えて、補償金システムはシステムホスト、アカウントコーディネータ、マーチャントおよび/または会場所有者を補償する別なフォーミュラを設定できるように構成できる。また、システムはユーザーディスカウント回数を増やし、かつポイント還元することによってユーザーに報償を与えることができるように構成することも可能である。
【００４８】
既に説明したように、会場はスキーリゾート地でもよい。この場合、スキーヤーのグローブにＲＦＩＤブレスレットを装着すればよく、ＩＤ保持者がこれを使用してリフト乗り場の列をバイパスでき、また待ち時間に基づいて設定されたアルゴリズムによってプレミアムセットを得るために一人用の列に並ぶことができる。各リフトの上下部に読み取り機/アンテナを設置すれば、ＩＤを使用して最後の既知位置を追跡することができる。ＩＤ保持者がアンテナを通過している間に、それぞれのＰＣＤにロードされている場合には、利用客および友人がＲＦＩＤタグの位置を知ることができる。スキーロッジでは現金の代わりにデビットカードとしてＲＦＩＤブレスレットを使用できる。
【００４９】
会場としては修学旅行先でもよく、あるいは遠足でもよい。この場合、システムは学童のＲＦＩＤブレスレットに金額をロードし、位置を追跡することができる。
【００５０】
また、会場としては個人または団体を対象としたスポンサー主催のイベントパッケージでもよい。実例としては、限定するものではないが、春休みバケーション、バケーション、パーティー、コンサート、スポーツ、ゲーム、集会などがある。例えば春休みパッケージ旅行の場合、会場は複数のマーチャントを含み、それぞれがスポンサー主催イベントパッケージに関して本発明システムを使用できる。
【００５１】
ＲＦＩＤブレスレットを使用すると、マーチャント、会場管理者およびシステム管理者が利用客およびＩＤユーザーが提供するデータのすべて、限定するものではないが例示すると、氏名、ＤＯＢ、住所、電話、ｅメイル、ソーシャルメディア接続、性別、人種、画像などの情報を取得できる。これら情報はいずれも安全性の高いサーバーに記憶することができ、および/またはクラウドベース化できる。マーチャントは個々の会場データ収集、リアルタイムなプライス調整、読み取り機/スキャナの使用可能状態/使用不能状態の調節、プッシュ通知、ユーザーに関するリアルタイムな統計およびユーザーが設定する出費傾向などを対象としてこの情報の一部を使用できる。
【００５２】
以上の詳細な説明は明確な理解を目的として与えたもので、必ずしも限定を意図するものではない。本発明の具体的な実施態様をいくつか図示し、かつ説明してきたが、当業者ならば、本発明から逸脱しなくても変更や改変が可能である。なお、より広い態様、従って特許請求の範囲の目的は、このような変更や改変はすべて本発明の精神および範囲に包含されるものとしてカバーすることにある。
【符号の説明】
【００５３】
１０：行列管理システム
１２：サーバー
１４：利用客の個人向け通信素子（ＰＣＤ）
１６：ユーザーＩＤユニット
１８：アトラクションＰＣＤ
２０：ネットワーク
【図１】
2014170519.tif 000003
【図２】
2014170519.tif 000004
【図３】
2014170519.tif 000005
【図４】
2014170519.tif 000006
【図５】
2014170519.tif 000007
【図６】
2014170519.tif 000008
【図７ａ】
2014170519.tif 000009
【図７ｂ】
2014170519.tif 000010
【図８ａ】
2014170519.tif 000011
【図８ｂ】
2014170519.tif 000012
【図９】
2014170519.tif 000013
【図１０】
2014170519.tif 000014
【図１１】
2014170519.tif 000015
【図１２】
2014170519.tif 000016
【図１３】
2014170519.tif 000017
【図１４】
2014170519.tif 000018
【図１５】
2014170519.tif 000019
【図１６】
2014170519.tif 000020
【図１７ａ】
2014170519.tif 000021
【図１７ｂ】
2014170519.tif 000022
【図１８】
2014170519.tif 000023
【手続補正書】
【提出日】平成26年1月24日(2014.1.24)
【手続補正１】
【補正対象書類名】特許請求の範囲
【補正対象項目名】全文
【補正方法】変更
【補正の内容】
【特許請求の範囲】
【請求項１】
アトラクション、
ユーザーが並ぶことによってアトラクションにアクセスする第１列、
ユーザーが前記第１列をバイパスし、前記アトラクションにアクセスする第２列、
ＩＤコードを有し、そしてさらにこのＩＤコードに対応する譲渡可能クレジット数を示す指数を有する個人向けＩＤユニット、
前記個人向けＩＤコードおよびこのコードに対応する前記譲渡可能クレジットを認識でき、かつこのコードに対応するクレジット数を変更できる個人向けＩＤユニット読み取り機、および
前記読み取り機と通信でき、かつ前記読み取機に情報を送信して、前記第２列にアクセスするための譲渡可能クレジット数を設定するアトラクション通信素子からなり、
前記第２列へアクセスするための前記譲渡可能クレジット数を、前記個人向けＩＤユニットを対象とする前記個人向けＩＤコードに対応する前記譲渡可能クレジット数から差し引くことによって前記第２列へのアクセスを許可するように前記読み取り機および前記個人向けＩＤユニットを構成したことを特徴とする入場管理システム。
【請求項２】
前記アトラクションが、遊園地のアトラクションである請求項１に記載の管理システム。
【請求項３】
前記アトラクションが、レストランである請求項１に記載の管理システム。
【請求項４】
前記アトラクションが、コンサートである請求項１に記載の管理システム。
【請求項５】
前記アトラクションが、スポーツイベントである請求項１に記載の管理システム。
【請求項６】
前記アトラクションが、スキーリフトである請求項１に記載の管理システム。
【請求項７】
前記譲渡可能クレジットが、マネタリクレジットである請求項１に記載の管理システム。
【請求項８】
前記譲渡可能クレジットが、ポイント還元である請求項１に記載の管理システム。
【請求項９】
前記個人向けＩＤユニットが、ＲＦＩＤブレスレットである請求項１に記載の管理システム。
【請求項１０】
さらに、前記個人向けＩＤユニットと通信できる個人向け通信素子を有する請求項１に記載の管理システム。
【請求項１１】
前記個人向け通信素子が、前記個人向けＩＤコードに対応する譲渡可能クレジットの数を変更できる請求項１０に記載の管理システム。
【請求項１２】
前記個人向け通信素子が、前記個人向けＩＤコードに対応する譲渡可能クレジットの使用状態をモニターできる請求項１０に記載の管理システム。
【請求項１３】
前記個人向け通信素子が、前記個人向けＩＤユニットの位置を確認する情報を受信できる請求項１０に記載の管理システム。
【請求項１４】
前記個人向け通信素子が、前記個人向けＩＤコードに対応するメッセージを送信できる請求項１０に記載の管理システム。
【請求項１５】
前記読み取り機が、前記個人向けＩＤコードに対応するメッセージを表示できる請求項１に記載の管理システム。
【請求項１６】
前記読み取り機が、前記個人向けＩＤユニットに関する情報を送信できる請求項１に記載の管理システム。
【外国語明細書】
2014170519.tif 000024
2014170519.tif 000025
2014170519.tif 000026
2014170519.tif 000027
2014170519.tif 000028
2014170519.tif 000029
2014170519.tif 000030
2014170519.tif 000031
2014170519.tif 000032
2014170519.tif 000033
2014170519.tif 000034
2014170519.tif 000035
2014170519.tif 000036
2014170519.tif 000037
2014170519.tif 000038
2014170519.tif 000039
2014170519.tif 000040
2014170519.tif 000041
2014170519.tif 000042
2014170519.tif 000043
2014170519.tif 000044
2014170519.tif 000045
2014170519.tif 000046
2014170519.tif 000047
2014170519.tif 000048
2014170519.tif 000049
2014170519.tif 000050
2014170519.tif 000051
2014170519.tif 000052
2014170519.tif 000053
2014170519.tif 000054
2014170519.tif 000055
2014170519.tif 000056
2014170519.tif 000057
2014170519.tif 000058
2014170519.tif 000059
2014170519.tif 000060
2014170519.tif 000061
2014170519.tif 000062
2014170519.tif 000063
2014170519.tif 000064
2014170519.tif 000065
2014170519.tif 000066
2014170519.tif 000067
2014170519.tif 000068
2014170519.tif 000069
2014170519.tif 000070
2014170519.tif 000071
2014170519.tif 000072
2014170519.tif 000073
2014170519.tif 000074
2014170519.tif 000075
2014170519.tif 000076
2014170519.tif 000077
2014170519.tif 000078